(57)【要約】【課題】把手部を掴みやすく形成し、持ち上げやすくした食品包装用容器を提供する。【解決手段】本考案の食品包装用容器１は、開口部の上縁を外側に曲げるとともに、その周縁を下向きに曲げたフランジ部２を有し、相対する位置に、周面１ｂを内側に凹ませ、フランジ部２を内側に延長した把手部３を形成するとともに、その付近のフランジ部２を下方に凹ませた親指納まり部４を形成したことを特徴とする。  親指納まり部４に親指を納め、人差し指などを裏側からフランジ部２の縁部に引っ掛けて掴むことにより、容器１を滑り落とすことなく持ち上げることができる。【選択図】図３
0003131628.tif 000002
【実用新案登録請求の範囲】
【請求項１】
開口部の上縁を外側に曲げるとともに、その周縁を下向きに曲げたフランジ部を有する食品包装用容器において、相対する位置に、周面を内側に凹ませ、フランジ部を内側に延長した把手部を形成するとともに、その付近のフランジ部を下方に凹ませた親指納まり部を形成した食品包装用容器。
【請求項２】
フランジ部を、上方に膨らませた湾曲状に形成した請求項１に記載の食品包装用容器。
【請求項３】
親指納まり部の内側面と外側面の高さを略同一とした請求項１又は２に記載の食品包装用容器。
【請求項４】
フランジ部の全周に、親指納まり部と連なるように下方に凹ませた溝部を形成した請求項１〜３のいずれかに記載の食品包装用容器。
【請求項５】
両把手部間に、仕切りを設けた請求項１〜４のいずれかに記載の食品包装用容器。
【請求項６】
前記フランジ部に外側から嵌合可能な蓋材を設け、該蓋材の相対する位置を、親指納まり部に接面して被覆可能な形状とした請求項１〜５のいずれかに記載の食品包装用容器。
【請求項７】
前記開口部に内側から嵌合可能な蓋材を設けた請求項１〜５のいずれかに記載の食品包装用容器。
【考案の詳細な説明】
【技術分野】
【０００１】
本考案は、各種料理や惣菜などの食品を収納する食品包装用容器に関する。
【背景技術】
【０００２】
従来、容器を持ちやすくするために、周囲に把手部を設けた食品包装用容器がある。例えば、本体の対向する２ヶ所に凹壁面を形成し、その凹壁面の外面に幅広の手掛け（把手部に相当）を設けた容器がある（下記特許文献１の第１図，第４図など参照）。また、胴部の相対向する周面を内側に湾曲させて、開口部のフランジ部に水平方向内方向へ拡張した保持部（把手部に相当）を形成した容器がある（下記特許文献２の実用新案登録請求の範囲など参照）。
【０００３】
【特許文献１】実開昭６４−６２１６号公報
【特許文献２】実公昭５７−９２０７号公報
【考案の開示】
【考案が解決しようとする課題】
【０００４】
上記特許文献１に記載の容器は、補強のために手掛けの部分を交互に上下に屈曲させて放射方向に伸びる波形に形成してある（実用新案登録請求の範囲、第１図など参照）。このように手掛けに波形を形成してあるため、容器を持ち上げる際、手掛けに載せた親指が外側に滑りやすく、容器を落としてしまうことがあった。
【０００５】
また、特許文献２に記載の容器は、保持部に下方へ突出する湾曲状の補強用リブを設けてある（実用新案登録請求の範囲、第１図など参照）。このリブは、細長く形成してあるため、親指が引っ掛かることはなく、容器を持ち上げる際、保持部に載せた親指が外側に滑り、容器を落としてしまうことがあった。
【０００６】
そこで、本発明の目的は、把手部を掴みやすく形成し、持ち上げやすくした食品包装用容器を提供することにある。
【課題を解決するための手段】
【０００７】
本考案の食品包装用容器は、開口部の上縁を外側に曲げるとともに、その周縁を下向きに曲げたフランジ部を有する食品包装用容器において、相対する位置に、周面を内側に凹ませ、フランジ部を内側に延長した把手部を形成するとともに、その付近のフランジ部を下方に凹ませた親指納まり部を形成したことを特徴とする。
【０００８】
このような構成とすることにより、親指を親指納まり部に納め、人差し指などの他の指を裏側からフランジ部の縁部に引っ掛けることにより、指が容器から滑りにくくなり、持ち上げやすい食品包装用容器となる。
【０００９】
上記食品包装用容器は、フランジ部を、上方に膨らませた湾曲状に形成することができる。
【００１０】
このような構成とすることにより、人の手の形に合い、より掴みやすくなる。
【００１１】
上記食品包装用容器は、親指納まり部の内側面と外側面の高さを略同一とすることができる。
【００１２】
このような構成とすることにより、親指が親指納まり部に納まりやすく、内側にも外側にも滑りにくくなり、指が容器内の食品などの収納物に触れにくくなる。
【００１３】
上記食品包装用容器は、フランジ部の全周に、親指納まり部と連なるように下方に凹ませた溝部を形成することができる。
【００１４】
このような構成とすることにより、容器の補強になるとともに、溝部に食品などの収納物の汁等が溜まり、容器外側にこぼれにくくなる。
【００１５】
上記食品包装用容器は、両把手部間に仕切りを設けることができる。
【００１６】
このような構成とすることにより、容器の補強になり、容器を持ち上げた際、容器が内折れすることがない。
【００１７】
上記食品包装用容器は、前記フランジ部に外側から嵌合可能かつ相対する位置を親指納まり部に接面して被覆可能な形状とした蓋材や、前記開口部に内側から嵌合可能な蓋材を設けることができる。
このような蓋材を設けることにより、蓋材をした状態でも、親指を親指納まり部に納めて持ち上げることができる食品包装用容器となる。
【考案を実施するための最良の形態】
【００１８】
以下、本考案の一実施形態を図面を用いて説明する。
図１は本考案の一実施形態の食品包装用容器の平面図、図２は図１のＡ−Ａ断面図、図３は図１の食品包装用容器を持ち上げた状態を示した概略斜視図である。
【００１９】
本考案の一実施形態の食品包装用容器１は、図１〜３に示すように、略円形状のトレーであり、容器内に仕切り１ａを設け、開口部の上縁にフランジ部２を形成してあり、周面１ｂの相対する位置に把手部３及び親指納まり部４を形成してある。
【００２０】
容器１は、合成樹脂材などを圧空真空成型等の熱成形などで形成することができ、内部に、容器内を略半分に区画する直線状の仕切り１ａを、底面１ｃを断面略逆Ｖ字状に隆起させて形成してある。
【００２１】
フランジ部２は、開口部の上縁を外側に曲げるとともに、その周縁を下向きに曲げて形成してあり、図２に示すように、断面において、上方に膨らませた湾曲状に形成してある。
【００２２】
把手部３は、容器１の相対する位置の周面１ｂを内側に湾曲状に凹ませ、フランジ部２を内側に延長して形成し、人の手で容器１を掴みやすいようにしてある。
親指納まり部４は、フランジ部２を内側に延長した部分、つまり把手部３付近を、周方向に沿い下方に凹ませた変形楕円状の窪みであり、人の親指が、腹部をこの中に置いて納まるように形成してある。具体的には、最大長さ約６０ｍｍ、最大幅約１７ｍｍ、最大深さ約５ｍｍの形状に形成することができる。
図２に示すように、親指納まり部４の内側面４ａと外側面４ｂの高さは、略同一に形成してある。高さが相違すると、親指が外側に滑ったり、容器内に収納した食品などに触れたりするおそれがあるが、略同一の高さにすることにより、これらのおそれが少なくなる。
【００２３】
また、フランジ部２には、湾曲状に下方に凹ませた溝部５が形成してあり、溝部５は、親指納まり部４と連なるように形成し、全周に渡りフランジ部２の内側寄りに形成してある。溝部５を設けることにより、容器１の強度を高めるとともに、食品などの収納物から流れ出た汁などを溜めることができ、外側に流出することを防止できる。
【００２４】
このように形成した容器１は、図３に示すように、親指納まり部４に親指を納め、人差し指などを裏側からフランジ部２の縁部に引っ掛けて掴むことにより、容器１を滑り落とすことなく持ち上げることができる。また、両把手部３間には仕切り１ａが設けてあり、フランジ部２には全周に溝部５が設けてあるため、容器１が補強され、内折れすることなく持ち上げることができる。
【００２５】
また、上記容器１に蓋材を備えることが好ましく、容器１に蓋材を嵌合した状態でも親指納まり部４に親指を納めて容器１を持ち上げることができるようにするため、容器１の開口部に内側から嵌合可能な蓋材、いわゆる内嵌合の蓋材を設けることが好ましい。
フランジ部２の外側から嵌合可能な蓋材、いわゆる外嵌合の蓋材を設ける場合は、図４に示す蓋材６のように、蓋材６の相対する位置を、親指納まり部４に接面して被覆可能なように親指納まり部４と同様の形状に凹ませた蓋材親指納まり部６ａを形成するのが好ましい。  これにより、蓋材６をした状態でも、蓋材親指納まり部６ａに親指を納めて容器１を持ち上げることができる。
【００２６】
上記実施形態の構成態様は、本発明を限定するものとして挙げたものではなく、技術目的を共通にするかぎり変更は可能であり、本発明はそのような変更を含むものである。
【００２７】
例えば、容器１を、平面視略矩形状や平面視楕円状のトレーとして形成することもでき、フランジ部２を、開口部の上縁を外側水平方向に折り曲げ、その周縁を下向き垂直に折り曲げて形成したり、親指納まり部４の内側面の高さを外側面の高さよりも低く形成したりすることもできる。また、溝部５や仕切り１ａを設けない構成とすることもできる。
【図面の簡単な説明】
【００２８】
【図１】本考案の一実施形態の食品包装用容器の平面図である。
【図２】図１のＡ−Ａ断面図である。
【図３】図１の食品包装用容器を持ち上げた状態を示した概略斜視図である。
【図４】図１の食品包装用容器に一例の蓋材を設けた場合を示した親指納まり部付近の断面図である。
【符号の説明】
【００２９】
１食品包装用容器  １ａ仕切り部  １ｂ周面  １ｃ底面  ２フランジ部  ３把手部
４親指納まり部  ４ａ内側面  ４ｂ外側面  ５溝部  ６蓋材  ６ａ蓋材親指納まり部
【図１】
0003131628.tif 000003
【図２】
0003131628.tif 000004
【図３】
0003131628.tif 000005
【図４】
0003131628.tif 000006